(57)【要約】      （修正有）【課題】船舶だけでなくゴルフカートなどでも使用できる新規な救命用クッションを提供する。【解決手段】約４０ｃｍ角の四角形の平面形状を有し、表面と底面の両面にマジックテープ（登録商標）等の面ファスナを備え、ボート、ヨット等の小型船舶又はゴルフカート等の座席上に設けた面ファスナ上に底面の面ファスナを置いて固定してクッションとして用いるとともに、例えば乗員、遊戯者等が海、河川、池に落水した際には、陸上や船上に在る者が面ファスナによる固定を人力で解除し、側面のロープをほどき、その端部をつかんだままクッションの本体部分を落水者に向かって投げ、落水者がクッションの本体部分につかまったり、上半身あるいは全身を乗せたりした状態で陸上や船上に在る者がロープを引き、落水者を陸地や船舶近くへ引き寄せ、そして救い上げるようにして用いる。【選択図】図８
0003146050.tif 000002
【実用新案登録請求の範囲】
【請求項１】
本体が、四角形状の平面形状を有するとともに表面と底面の両面に面ファスナを備え、ボート、ヨット等の小型船舶又はゴルフカート等の座席上に設けた面ファスナ上に前記底面の面ファスナを置いて固定してクッションとして用い得る厚さとするとともに、乗員、遊戯者等が海、河川、池に落水した際には、陸上や船上に在る者が前記面ファスナによる固定を解除して前記本体の側面のロープをほどき、その端部をつかんだままクッションの本体部分を落水者に向かって投げて救助用に用い得るようにしてなることを特徴とする救命用クッション。
【請求項２】
請求項１の救命用クッションにおいて、表面又は裏面の前記面ファスナが、前記落水者が該表面又は裏面へ乗り上げた際の滑り止めとなることを特徴とする救命用クッション。
【請求項３】
請求項１又は２の救命用クッションにおいて、前記ロープを備えない一対の対面する側面に通常取り扱い時だけでなく救助時に掴むあるいは掴めるようにするためのベルト材を設けてなることを特徴とする救命用クッション。 
【考案の詳細な説明】
【技術分野】
【０００１】
本考案は、ボート、ヨット等の小型船舶又はゴルフカート等の座席用クッションとして使用し得るとともに、乗員、遊戯者等が海、河川、池に落水した際には救助に用い得る救命用クッションに関する。
【背景技術】
【０００２】
四角形の平面形状を有し、ボート、ヨット等の小型船舶に備えられて、乗員等が海、河川に落水した際には、船上に在る者がロープにつながったクッションの本体部分を落水者に向かって投げ、落水者がクッションの本体部分につかまったり、上半身あるいは全身を乗せたりした状態で船上に在る者がロープを引き、落水者を船舶近くへ引き寄せ、そして救い上げるようにして用いるものが知られている。  
【０００３】
【非特許文献１】独立行政法人工業所有権情報・研修館が２００６年１１月１３日に受け入れたＫＡＺＩ：舵  ２００６年１２月  １日１２号、第１２３頁所載のライフラフトの意匠
【考案の開示】
【考案が解決しようとする課題】
【０００４】
本考案は、船舶だけでなくゴルフカートなどでも使用できる新規な救命用クッションを提供することを目的とする。
【課題を解決するための手段】
【０００５】
本考案は、クッションとして用いるとともに、例えば乗員、遊戯者等が海、河川、池に落水した際には、陸上や船上に在る者が面ファスナによる固定を人力で解除し、側面のロープをほどき、その端部をつかんだままクッションの本体部分を落水者に向かって投げ、落水者がクッションの本体部分につかまったり、上半身あるいは全身を乗せたりした状態で陸上や船上に在る者がロープを引き、落水者を陸地や船舶近くへ引き寄せ、そして救い上げるようにして用いることを、最も主要な特徴とする。  
【０００６】
そのため請求項１に係る救命用クッションは、本体が、四角形状の平面形状を有するとともに表面と底面の両面に面ファスナを備え、ボート、ヨット等の小型船舶又はゴルフカート等の座席上に設けた面ファスナ上に前記底面の面ファスナを置いて固定してクッションとして用い得る厚さとするとともに、乗員、遊戯者等が海、河川、池に落水した際には、陸上や船上に在る者が前記面ファスナによる固定を解除して前記本体の側面のロープをほどき、その端部をつかんだままクッションの本体部分を落水者に向かって投げて救助用に用い得るようにしてなることを特徴とする。  
【０００７】
同請求項２に係る救命用クッションは、請求項１の救命用クッションにおいて、表面又は裏面の前記面ファスナが、前記落水者が該表面又は裏面へ乗り上げた際の滑り止めとなることを特徴とする。  
【０００８】
同請求項３に係る救命用クッションは、請求項１又は２の救命用クッションにおいて、前記ロープを備えない一対の対面する側面に通常取り扱い時だけでなく救助時に掴むあるいは掴めるようにするためのベルト材を設けてなることを特徴とする。
【考案の効果】
【０００９】
本考案の救命用クッションは、救命用クッションは、ゴルフカートなどでシートクッションとして使用できるだけでなく、いざというときにゴルフ場の池だけでなく、海、河川、一般の池などで救命用の浮体としても使用できる。
【考案を実施するための最良の形態】
【００１０】
この物品は、表面と底面の両面にマジックテープ（登録商標）等の面ファスナを備え、ゴルフカート等の座席上に設けた面ファスナ上に底面の面ファスナを置いて固定してクッションとして用いるとともに、落水者が出た際には、陸上や船上に在る者が面ファスナによる固定を人力で解除し、側面のロープをほどき、その端部をつかんだままクッションの本体部分を落水者に向かって投げ、落水者がクッションの本体部分につかまったり、上半身あるいは全身を乗せたりした状態で陸上や船上に在る者がロープを引き、落水者を陸地や船舶近くへ引き寄せ、そして救い上げるようにして用いることができることを特徴とする。
【実施例１】
【００１１】
図１は本発明に係る救命用クッションの正面図、図２は背面図、図３は平面図、図４は底面図、図５は右側面図、図６は左側面図、図７は図３のＡ−Ａ断面図である。本実施例の救命用クッション１は、約４０ｃｍ角の四角形の平面形状を有し、内部にクッション材１Ａを有し、表面２と底面３の両面にマジックテープ（登録商標）等の面ファスナ４を備え、ボート、ヨット等の小型船舶又はゴルフカート等の座席上に設けた面ファスナ上に底面の面ファスナ４を置いて固定して着座時のクッションとして用いる。  
【００１２】
また、救命用クッション１の対向する側面には、通常取り扱い時だけでなく救助時に掴むあるいは掴めるようにするためのベルト６、６がそれぞれ設けてあり、ベルト６、６を設けた側面の間に位置する一の側面には、救助作業時に用いるロープ７がまとめてバンド８で固定してある。  
【００１３】
図８はゴルフカート１０のシート１１への救命用クッション１への装着準備状態を示す図、図９はゴルフカート１０のシート１１への装着状態を示す図である。上述のようにゴルフカート１０のシート１１上に設けた面ファスナ１２上に底面の面ファスナ４を置いて固定して着座時のクッションとして用い得るようにしている。  
【００１４】
図１０は、救命のための使用準備に取り掛かる状態の一例を示す図で、ゴルファー１３が池１４へ落ちかかっている。図１１は、上述のようにゴルフカート１０から引き剥がした救命用クッション１のロープ７の一端をキャディー１５が持って救命用クッション１を落水した被救命者、すなわちゴルファー１３に向けて投げ、救命動作を開始している状態を示す図である。そして、図１２は被救命者であるゴルファー１３を救助した状態を示す図である。すなわち、既述のように、落水者（ゴルファー１３）が出た際には、陸上や船上に在る者（キャディー１５）が面ファスナ４、１２による固定を人力で解除し、側面のロープ７をほどき、その端部をつかんだまま救命用クッション１の本体部分を落水者であるゴルファー１３に向かって投げ、落水したゴルファー１３が救命用クッション１の本体部分につかまったり、上半身あるいは全身を乗せたりした状態で陸上や船上に在る者（キャディー１５等）がロープ７を引き、落水者を陸地や船舶近くへ引き寄せ、そして救い上げるようにして用いる。
【図面の簡単な説明】
【００１５】
【図１】本発明に係る救命用クッションの正面図
【図２】同背面図
【図３】同平面図
【図４】同底面図
【図５】同右側面図
【図６】同左側面図
【図７】図３のＡ−Ａ断面図
【図８】ゴルフカートのシートへの救命用クッションへの装着準備状態を示す図
【図９】ゴルフカートのシートへの装着状態を示す図
【図１０】救命のための使用準備に取り掛かる状態の一例を示す図
【図１１】救命動作を開始している状態を示す図
【図１２】被救命者を救助した状態を示す図
【符号の説明】
【００１６】
１：救命用クッション  １Ａ：クッション材  ２：同表面  ３：同底面  ４：面ファスナ  ６：ベルト  ７：ロープ  ８：バンド  １０：ゴルフカート  １１：シート  １２：面ファスナ  １３：ゴルファー（被救助者）  １４：池  １５：キャディー 
【図１】
0003146050.tif 000003
【図２】
0003146050.tif 000004
【図３】
0003146050.tif 000005
【図４】
0003146050.tif 000006
【図５】
0003146050.tif 000007
【図６】
0003146050.tif 000008
【図７】
0003146050.tif 000009
【図８】
0003146050.tif 000010
【図９】
0003146050.tif 000011
【図１０】
0003146050.tif 000012
【図１１】
0003146050.tif 000013
【図１２】
0003146050.tif 000014